(57)【要約】本明細書において、サンプルから実質的な物理距離だけ配置された中央処理ユニット（ＣＰＵ）を含む統合システムのためのシステム、方法および装置が提供される。リモートワークステーションと患者区域とを含む統合システムであって、それによって、リモートワークステーションは、患者区域と動作可能に関連付けられ、リモートワークステーションは、患者区域から実質的な物理距離があり、実質的な物理距離は、少なくとも約５ｍである。
2014506806.tif 000002
【特許請求の範囲】
【請求項１】
リモートワークステーションと患者区域とを含む統合システムであって、それによって、該リモートワークステーションは、該患者区域と動作可能に関連付けられ、該リモートワークステーションは、該患者区域から実質的な物理距離があり、該実質的な物理距離は、少なくとも約５ｍである、統合システム。
【請求項２】
前記リモートワークステーションは、光源、光検出器、デジタイザ、干渉計、およびＣＰＵコンポーネントを含み、該光源は、該干渉計と動作可能に関連付けられ、該光検出器は、該干渉計と動作可能に関連付けられ、該デジタイザは、該光検出器と動作可能に関連付けられ、該ＣＰＵコンポーネントは、該デジタイザと動作可能に関連付けられ、
前記患者区域は、インターフェースモジュール、カテーテル、およびサンプルプローブを含み、該インターフェースモジュールは、該カテーテルと動作可能に関連付けられ、該サンプルプローブは、該カテーテルと動作可能に関連付けられている、請求項１に記載の統合システム。
【請求項３】
前記干渉計は、前記サンプルプローブと動作可能に関連付けられている延長されたサンプル経路を含み、該サンプル経路は、前記リモートワークステーション、前記患者区域、および前記インターフェースモジュールと統合されている、請求項２に記載の統合システム。
【請求項４】
前記リモートワークステーションは、光源、光検出器、デジタイザ、およびＣＰＵコンポーネントを含み、該光検出器は、該デジタイザと動作可能に関連付けられ、該ＣＰＵコンポーネントは、該デジタイザと動作可能に関連付けられ、
前記患者区域は、インターフェースモジュールおよびサンプルプローブを含み、該インターフェースモジュールは、該サンプルプローブおよび該リモートワークステーションと動作可能に関連付けられた干渉計を含む、請求項１に記載の統合システム。
【請求項５】
前記光源は、供給源経路によって前記実質的な物理距離において前記干渉計と動作可能に関連付けられ、該干渉計は、該実質的な物理距離において検出経路を用いて前記光検出器と動作可能に関連付けられる、請求項４に記載の統合システム。
【請求項６】
前記リモートワークステーションは、ＣＰＵコンポーネントを含み、前記患者区域は、インターフェースモジュール、カテーテル、およびサンプルプローブを含み、
該インターフェースモジュールは、光源、干渉計、光検出器、およびデジタイザを含み、
該光源は、該インターフェースモジュール内で該干渉計と動作可能に関連付けられ、該干渉計は、サンプル経路によって該サンプルプローブと動作可能に関連付けられる、請求項１に記載の統合システム。
【請求項７】
前記サンプル経路は、前記実質的な物理距離を横断せず、前記デジタイザは、ＣＰＵ経路によって、前記リモートワークステーション内の前記ＣＰＵコンポーネントと動作可能に関連付けられる、請求項６に記載の統合システム。
【請求項８】
モバイルコンソールおよび患者区域を含む統合システムであって、それによって、該モバイルコンソールは、実質的な物理距離において該患者区域と動作可能に関連付けられ、該実質的な物理距離は、少なくとも約５ｍである、統合システム。
【請求項９】
前記モバイルコンソールは、該モバイルコンソールがＣＰＵコンポーネントと共に移動することを可能にする少なくとも１つのモバイル輸送デバイスを含み、
該モバイルコンソールは、該ＣＰＵコンポーネントおよびディスプレイを含み、
前記患者区域は、インターフェースモジュール、カテーテル、およびサンプルプローブを含み、
該インターフェースモジュールは、光源、干渉計、光検出器、およびデジタイザを含み、該デジタイザは、ＰＩＭケーブルによって該ＣＰＵコンポーネントと動作可能に関連付けられる、請求項８に記載の統合システム。
【請求項１０】
前記モバイルコンソール輸送デバイスは、ラップトップを含む、請求項９に記載の統合システム。
【請求項１１】
制御室と患者区域とを含む統合システムであって、それによって、該制御室は、該患者区域と動作可能に関連付けられ、該患者区域は、該制御室から実質的な物理距離において配置され、該実質的な物理距離は、少なくとも約５ｍである、統合システム。
【請求項１２】
前記制御室は、光源とＣＰＵコンポーネントを含み、
前記患者区域は、インターフェースモジュールおよびカテーテルを含み、該光源は、供給源経路によって該インターフェースモジュールと動作可能に関連付けられ、
該インターフェースモジュールは、干渉計、光検出器、およびデジタイザを含み、該干渉計は、前記実質的な物理距離で該供給源経路と動作可能に関連付けられ、
サンプル経路は、該カテーテルと動作可能に関連付けられ、該実質的な物理距離を横断せず、
該デジタイザは、該実質的な物理距離でＰＩＭケーブルによって該ＣＰＵコンポーネントと動作可能に関連付けられる、請求項１１に記載の統合システム。
【請求項１３】
前記制御室は、光源、ＣＰＵコンポーネント、およびデジタイザを含み、
前記患者区域は、インターフェースモジュールおよびカテーテルを含み、
該インターフェースモジュールは、干渉計および光検出器を含み、該光源は、該インターフェースモジュール内の該干渉計と動作可能に関連付けられ、該干渉計は、前記実質的な物理距離を横断しないサンプル経路によって該カテーテルと動作可能に関連付けられる、請求項１１に記載の統合システム。
【請求項１４】
前記光検出器は、デジタイザ経路によって前記デジタイザと動作可能に関連付けられる、請求項１３に記載の統合システム。
【請求項１５】
前記制御室は、ＣＰＵコンポーネントおよびデジタイザを含み、
前記患者区域は、インターフェースモジュールおよびカテーテルを含み、
該インターフェースモジュールは、光源、干渉計および光検出器を含み、それによって、該干渉計は、サンプル経路によって該カテーテルと動作可能に関連付けられ、該サンプル経路は、前記実質的な物理距離を横断せず、
該光検出器は、デジタイザ経路によって該デジタイザと動作可能に関連付けられる、請求項１１に記載の統合システム。
【請求項１６】
前記制御室は、ＣＰＵコンポーネント、デジタイザ、および光検出器を含み、
前記患者区域は、インターフェースモジュール、サンプルプローブ、およびカテーテルを含み、
該インターフェースモジュールは、光源および干渉計を含み、それによって、該干渉計は、前記実質的な物理距離を横断する検出経路によって該光検出器と動作可能に関連付けられ、
該干渉計は、該実質的な物理距離を横断しないサンプル経路によって該サンプルプローブと動作可能に関連付けられる、請求項１１に記載の統合システム。
【請求項１７】
制御室と少なくとも２つの患者区域とを含む統合システムであって、それによって、該制御室は、該少なくとも２つの患者区域と動作可能に関連付けられ、該少なくとも２つの患者区域から実質的な物理距離だけ離れて配置され、該実質的な物理距離は、少なくとも約５ｍである、統合システム。
【請求項１８】
前記制御室は、前記少なくとも２つの患者区域と動作可能に関連付けられたＣＰＵコンポーネントを含み、
該患者区域は、インターフェースモジュールおよびカテーテルを含み、それによって、該インターフェースモジュールは、光源、干渉計、光検出器、およびデジタイザを含み、
該干渉計は、サンプル経路によって該カテーテルと動作可能に関連付けられ、
該デジタイザは、前記実質的な物理距離を横断するＣＰＵ経路によって該ＣＰＵコンポーネントと動作可能に関連付けられる、請求項１７に記載の統合システム。
【請求項１９】
前記制御室は、ＣＰＵコンポーネントおよび少なくとも２つのデジタイザを含み、該少なくとも２つのデジタイザは、前記少なくとも２つの患者区域と動作可能に関連付けられ、
前記少なくとも２つの患者区域は、インターフェースモジュールおよびカテーテルを含み、それによって、該インターフェースモジュールは、光源、干渉計、および光検出器を含み、
該干渉計は、サンプル経路によって該カテーテルと動作可能に関連付けられ、
該光検出器は、前記実質的な物理距離を横断するデジタイザ経路によって該少なくとも２つのデジタイザと動作可能に関連付けられ、
該ＣＰＵコンポーネントは、該少なくとも２つのデジタイザと関連付けられている、請求項１７に記載の統合システム。
【請求項２０】
前記制御室は、ＣＰＵコンポーネントおよび動作可能なデジタイザを含み、該デジタイザは、前記少なくとも２つの患者区域と動作可能に関連付けられ、
該少なくとも２つの患者区域は、インターフェースモジュールおよびカテーテルを含み、それによって、該インターフェースモジュールは、光源、干渉計、および光検出器を含み、
該干渉計は、サンプル経路によって該カテーテルと動作可能に関連付けられ、
該少なくとも２つの患者区域の該光検出器は、前記実質的な物理距離を横断する少なくとも２つのデジタイザ経路によって該制御室内の該デジタイザと動作可能に関連付けられる、請求項１７に記載の統合システム。
【請求項２１】
前記制御室は、光源、デジタイザ、およびＣＰＵコンポーネントを含み、該光源は、前記少なくとも２つの患者区域と動作可能に関連付けられ、
該少なくとも２つの患者区域は、インターフェースモジュールおよびカテーテルを含み、それによって、該インターフェースモジュールは、干渉計および光検出器を含み、
該光源は、前記実質的な物理距離を横断する少なくとも１つの光経路によって該インターフェースモジュール内の該干渉計と動作可能に関連付けられ、
該干渉計は、サンプル経路によって該カテーテルと動作可能に関連付けられ、
該光検出器は、該実質的な物理距離を横断する少なくとも１つのデジタイザ経路によって該デジタイザと動作可能に関連付けられ、
該デジタイザは、該ＣＰＵコンポーネントと動作可能に関連付けられる、請求項１７に記載の統合システム。
【請求項２２】
前記制御室は、光源およびＣＰＵコンポーネントを含み、それによって、該光源は、前記少なくとも２つの患者区域と動作可能に関連付けられ、
前記少なくとも２つの患者区域は、インターフェースモジュールおよびカテーテルを含み、それによって、該インターフェースモジュールは、干渉計、光検出器、および少なくとも２つのデジタイザを含み、
該光源は、前記実質的な物理距離を横断する少なくとも１つの光経路によって該干渉計と動作可能に関連付けられ、
該干渉計は、サンプル経路によって該カテーテルと動作可能に関連付けられ、
該デジタイザは、少なくとも１つのＣＰＵ経路によって該ＣＰＵコンポーネントと動作可能に関連付けられる、請求項１７に記載の統合システム。
【請求項２３】
前記制御室は、光源、少なくとも２つのデジタイザ、およびＣＰＵコンポーネントを含み、それによって、該光源は、前記少なくとも２つの患者区域と動作可能に関連付けられ、
該少なくとも２つの患者区域は、インターフェースモジュールおよびカテーテルを含み、それによって、該インターフェースモジュールは、干渉計および少なくとも２つの光検出器を含み、
該光源は、前記実質的な物理距離を横断する少なくとも１つの光経路によって該干渉計と動作可能に関連付けられ、
該干渉計は、サンプル経路によって該カテーテルと動作可能に関連付けられ、
該光検出器は、少なくとも１つのデジタイザ（２０）経路によって該デジタイザと動作可能に関連付けられ、
該デジタイザは、該ＣＰＵコンポーネントと動作可能に関連付けられる、請求項１７に記載の統合システム。
【請求項２４】
前記リモートワークステーションは、ＣＰＵコンポーネントと動作可能に関連付けられた撮像システムを含み、該撮像システムは、ＯＣＴ撮像システム、分光デバイス、血管内超音波（ＩＶＵＳ）デバイス、前向きＩＶＵＳデバイス、高密度焦点式超音波（ＨＩＦＵ）デバイス、無線周波数デバイス、熱撮像またはサーモグラフィデバイス、光学光ベースの撮像デバイス、磁気共鳴デバイス、無線グラフィデバイス、放射線撮像デバイス、光音響撮像デバイス、電気インピーダンストモグラフィデバイス、弾性グラフィデバイス、圧力感知有線デバイス、心内心エコーグラフィ（ＩＣＥ）デバイス、前向きＩＣＥおよび整形外科デバイス、脊椎撮像および神経学的撮像デバイス、画像誘導治療デバイス、治療送達デバイス、および診断送達デバイスからなる群から選択される、請求項１に記載の統合システム。
【請求項２５】
前記リモートワークステーションは、少なくとも１つのケーブルによって前記患者区域と動作可能に関連付けられている、請求項１に記載の統合システム。
【請求項２６】
前記少なくとも１つのケーブルは、フロアトレンチまたは天井導管を通して設置されている、請求項２５に記載の統合システム。
【請求項２７】
前記リモートワークステーションは、無線伝送によって前記患者区域と動作可能に関連付けられている、請求項１に記載の統合システム。
【請求項２８】
前記リモートワークステーションは、光通信ラインによって前記患者区域と動作可能に関連付けられている、請求項１に記載の統合システム。
【請求項２９】
前記リモートワークステーションは、電気通信ラインによって前記患者区域と動作可能に関連付けられている、請求項１に記載の統合システム。
【請求項３０】
システムを統合させる方法であって、該方法は、
実質的な物理距離でサンプルからコンピュータ処理ユニットを分離することであって、該実質的な物理距離は、少なくとも約５ｍである、ことと、
撮像システムを、該サンプルおよび該コンピュータ処理ユニットと動作可能に関連付けることと、
該サンプルから該コンピュータ処理ユニットに画像データを送信することと
を含む、方法。
【請求項３１】
前記コンピュータ処理ユニットにおいて、またはその付近に前記画像データをデジタル形式に変換することをさらに含む、請求項３０に記載の方法。
【請求項３２】
前記画像データが前記サンプルから送信される前に、該画像データをデジタル形式に変換することをさらに含む、請求項３０に記載の方法。
【請求項３３】
前記サンプルから前記画像データを送信する（２０）前に、該画像データを圧縮することをさらに含む、請求項３０に記載の方法。
【請求項３４】
前記撮像システムは、光コヒーレンストモグラフィ（ＯＣＴ）システム、分光デバイスであって、蛍光、吸収、散乱およびラマン分光を含む分光デバイス、血管内超音波（ＩＶＵＳ）デバイス、前向きＩＶＵＳ（ＦＬＩＶＵＳ）デバイス、高密度焦点式超音波（ＨＩＦＵ）デバイス、無線周波数デバイス、熱撮像デバイス、光学光ベースの撮像デバイス、磁気共鳴デバイス、無線グラフィデバイス、放射線撮像デバイス、光音響撮像デバイス、電気インピーダンストモグラフィデバイス、弾性グラフィデバイス、圧力感知有線デバイス、心内心エコーグラフィ（ＩＣＥ）デバイス、前向きＩＣＥデバイス、整形外科デバイス、脊椎撮像デバイス、神経学的撮像デバイス、画像誘導治療デバイス、治療送達デバイス、並びに診断送達デバイスからなる群から選択される、請求項３０に記載の方法。
【発明の詳細な説明】
【技術分野】
【０００１】
（関連出願）
この出願は、２０１０年１２月２３日に出願された米国の本出願第１２／９７８，３４４号の利益および優先権を主張する。上記出願の内容は、その全体として本明細書において参照することによって援用される。
【０００２】
（背景）
本出願は、概して撮像システム、特に統合構造に関連する。
【背景技術】
【０００３】
血管内撮像システムは、非ユーザー切断可能な患者インターフェースモジュール（ＰＩＭ）または患者インターフェースユニット（ＰＩＵ）またはＤＯＣを介して患者に延長する（約３ｍ）干渉計サンプル経路を用いて、ロールアラウンドカート（ｒｏｌｌ−ａｒｏｕｎｄ  ｃａｒｔ）上にＣＰＵコンポーネントで構成される構造を使用する。短いＰＩＭケーブルは、患者の付近に物理的に配置されるべきシステムが長い分離距離に関連付けられた問題（すなわち、光学分散およびｚ−オフセット摂動）をシステムに回避させ、永久に接続されたＰＩＭケーブルは、コネクタ損傷／残屑に関する問題（すなわち、挿入損失）を回避し、その問題は、ユーザーが訓練を受けた光ファイバー技術者ではない場合にカテーテルラボ（ｌａｂ）環境において回避することが難しい。
【０００４】
外科手術部屋またはカテーテル法ラボ内に統合されている撮像システムは、干渉信号を生成する器具類（例えば、光源、干渉計、および受光器）、情報を捕獲する器具類（例えば、デジタイザ）、およびこれらの情報を分析する器具類（例えば、ホストコンピュータ、ディスプレイノード、アーカイバルサーバ等）の間に高いデータレートで情報を伝送する独自の課題を有する。従来の撮像システム（例えば、カート上に含まれたもの）は、これらの課題を有せず、なぜなら、生成、捕獲、および分析デバイスが、近接して配置され、デジタイザおよびホストが、ＣＰＵの内部バス（例えば、周辺コンポーネント相互接続（ＰＣＩ）または周辺コンポーネント相互接続エクスプレス（ＰＣＩｅ））で直接に相互接続されるからである。最近の既知のデバイスまたはシステムは、画像捕獲／デジタル化電子機器を含み、その電子機器が、（例えば、ＰＣＩｅカードスロット内の）ホストシステムバスに近接して配置され、従って、それに直接に結合される。これらのシステムは、長い距離（約１５メートル以上）にわたって広い帯域幅を伝送する課題を有しない。
【発明の概要】
【発明が解決しようとする課題】
【０００５】
本発明は、これらの問題および他の問題を解決しようとする。
【課題を解決するための手段】
【０００６】
（要約）
本明細書において、統合システムのためのシステム、方法および装置が提供される。統合システムは、概して、患者テーブルおよび患者区域から遠隔である制御室および／またはワークステーションを含み、統合システムのいくつかの部分は、ユーザーがいくつかのベッドサイドインターフェースを介して撮像デバイスを接続することを可能にする患者テーブルに近接して存在する。制御室および／またはワークステーションは、患者区域と動作可能に関連付けられ、制御室またはワークステーションは、患者区域から実質的な物理距離がある。
【０００７】
別の実施形態において、システムを統合させる方法は、実質的な物理距離でサンプルからコンピュータ処理ユニットを分離することであって、実質的な物理距離は、少なくとも約５ｍである、ことと、撮像システムを、サンプルおよびコンピュータ処理ユニットと動作可能に関連付けることと、サンプルからコンピュータ処理ユニットに画像データを送信することとを含む。
【０００８】
方法、システムおよび装置は、部分的に、以下の説明において説明され、部分的に、その説明から明白になり、または方法、装置およびシステムの経験から獲得され得る。方法、装置およびシステムの利点は、添付された請求項において特に挙げられる要素および組み合わせによって実現および達成される。上記一般的説明と以下の詳細な説明との両方は、単に例示的かつ解説的であり、請求項に記載されるように、方法、装置およびシステムの制限ではない。
【０００９】
添付の図面において、同様な構成要素は、本発明のいくつかの好ましい実施形態の中、同様な参照数字によって識別される。
【図面の簡単な説明】
【００１０】
【図１Ａ】図１Ａは、統合システムの概略的ダイヤグラムである。
【図１Ｂ】図１Ｂは、延長された干渉計サンプル経路の概略的ダイヤグラムである。
【図１Ｃ】図１Ｃは、延長された供給源経路および検出器システムの概略的ダイヤグラムである。
【図２Ａ】図２Ａは、延長されたデジタイザ−ＣＰＵシステムの概略的ダイヤグラムである。
【図２Ｂ】図２Ｂは、延長されたデジタイザ−ＣＰＵモバイルシステムの概略的ダイヤグラムである。
【図２Ｃ】図２Ｃは、延長されたデジタイザ−ＣＰＵラップトップシステムである。
【図３Ａ】図３Ａは、二重光経路およびデジタルＰＩＭケーブルシステムの概略的ダイヤグラムである。
【図３Ｂ】図３Ｂは、二重光経路およびアナログＰＩＭケーブルシステムの概略的ダイヤグラムである。
【図３Ｃ】図３Ｃは、ＰＩＭ統合干渉計システムの概略的ダイヤグラムである。
【図３Ｄ】図３Ｄは、ＰＩＭ統合干渉計システムの概略的ダイヤグラムである。
【図４Ａ】図４Ａは、分散干渉計システムの概略的ダイヤグラムである。
【図４Ｂ】図４Ｂは、別の分散干渉計システムの概略的ダイヤグラムである。
【図４Ｃ】図４Ｃは、別の分散干渉計システムの概略的ダイヤグラムである。
【図４Ｄ】図４Ｄは、別の分散干渉計システムの概略的ダイヤグラムである。
【図４Ｅ】図４Ｅは、別の分散干渉計システムの概略的ダイヤグラムである。
【図４Ｆ】図４Ｆは、別の分散干渉計システムの概略的ダイヤグラムである。
【発明を実施するための形態】
【００１１】
（本発明の詳細な説明）
本発明の上記および他の特徴および利点は、添付の図面に関連して読まれる以下の例示的な実施形態の詳細な説明から明白になる。詳細な説明および図面は、添付された請求項およびその同等物によって規定される本発明の範囲を限定するものではなく、単に本発明の例示である。
【００１２】
一般的に言えば、様々な構造の概念は、図１〜４に示されるように、サンプルから実質的な物理距離だけ配置されている中央処理ユニット（ＣＰＵ）を含む統合システムに基づく。一実施形態において、サンプルは、患者区域内に配置された患者の脈管であり、代替的に、サンプルは、任意の外科手術部屋、手術室、患者治療区域、手術部位等の中にある。統合システムは、撮像システムの中央処理／表示／アーカイバルユニットから実質的な物理距離だけ離れてサンプルを配置するように設計され、なぜなら、それは、撮像デバイスの使用に対して適切な設定がある、心臓カテーテル法ラボ、並びに入院患者および外来患者の外科手術室を含む他の手順の患者室にとって必要であるからである（例えば、数メートルだけ患者テーブルから分離された制御室または遠隔ワークステーション）。本明細書に記載されているように、実質的な物理距離は、少なくとも５ｍより長く、代替的に、少なくとも１０ｍより長く、代替的に、少なくとも１ｍ〜１０００ｍにある。一実施形態において、実質的な物理距離は、制御室内にあり得るか、または、サンプルから離れた他の遠隔配置であり得る。
【００１３】
本発明の構造は、光コヒーレンストモグラフィ（ＯＣＴ）システムに関連する撮像システムとして本明細書において記載されるが、統合システムは、他の撮像システムにも適用され得、その他の撮像システムは、例えば、（蛍光、吸収、散乱およびラマン分光を含む）分光デバイス、血管内超音波（ＩＶＵＳ）、前向きＩＶＵＳ（ＦＬＩＶＵＳ）、高密度焦点式超音波（ＨＩＦＵ）、無線周波数、熱撮像またはサーモグラフィ、光学光ベースの撮像、磁気共鳴、無線グラフィ、放射線撮像、光音響撮像、電気インピーダンストモグラフィ、弾性グラフィ、圧力感知有線、心内心エコーグラフィ（ＩＣＥ）、前向きＩＣＥおよび整形外科、脊椎撮像および神経学的撮像、画像誘導治療デバイスまたは治療送達デバイス、診断送達デバイス等を例として含むが、それらに限定されない。
【００１４】
一実施形態において、図１Ａに示されるように、統合システム１０は、リモートワークステーションまたは制御室１２と、患者区域２０とを含み、それによって、リモートワークステーション１２は、実質的な物理距離において患者区域２０と動作可能に関連付けられる。リモートワークステーション１２は、撮像システム３０とＣＰＵコンポーネント７０とを含む。患者区域２０は、インターフェースデバイス８０と、カテーテル９０と、接続経路４２によってカテーテル９０と動作可能に関連付けられたサンプルプローブ２０とを含む。撮像システム３０は、導管４４を介してインターフェースデバイス８０によって患者区域２０と動作可能に関連付けられる。導管４４（１０）は、撮像システム３０をインターフェースデバイス８０と通信するために、光学ファイバー、電気または無線通信チャンネル４２を含み得る。図１Ａに示されるように、ＣＰＵ７０は、撮像システム３０と動作可能に関連付けられ、実質的な物理距離だけサンプルからのＣＰＵコンポーネントの分離を可能にする。別の実施形態において、図１〜４に示されるように、統合システムは、導管を介して永久的方式でＣＰＵコンポーネントおよびケーブルの設置を可能にするが、（１５）患者インターフェースデバイスおよびカテーテルコンポーネントの携帯性およびモジュール性を保存する。別の実施形態において、統合システムは、ＣＰＵコンポーネントの単一のセットとインターフェース接続するために、様々な位置に配置された患者インターフェースコンポーネントの複数の場合を可能にする。ＣＰＵコンポーネントは、有線、ケーブル、光ファイバー、無線通信等によってサンプルプローブと接続され得る。デバイス、システム、または装置の任意の部分の任意の近位端と遠位端との間の通信は、任意の通信デバイス（例えば、有線、光学、無線、ＲＦ等）によるものであり得る。
【００１５】
別の実施形態において、図１〜４に示されるように、統合システムは、電子サブシステムを含み、電子サブシステムは、いくつかの遠隔位置において画像データを生成し、データをデジタル形式に変換する。一実施形態において、デジタイザは、画像データをデジタル形式に変換する。このデジタルデータは、ネットワークにわたって伝送され、データ上に他のタスク（アーカイバル、分析、表示）を行う別のサブシステムを用いて、ネットワークの反対の端部上に受信される。
【００１６】
概して、デジタル情報を伝送するための光学システムにおいて、電気データストリームを光学データストリームに変換し、および光学データストリームから変換するように使用されるコンポーネントは、高速光学ネットワーキングのためのコンポーネントである光学トランシーバである。画像データに加えて、コマンドおよび制御信号が、ネットワーク上に伝送され得る（３０）。統合システムは、複数の光学トランシーバおよび光ファイバーを含み得、複数の有線または無線チャンネルが使用され得る。遠隔システムからホストコンピュータへの高帯域幅および長距離の画像／データの伝送は、物理層を含むデジタルネットワークを使用する。一実施形態において、ネットワークの物理層は、光通信（例えば、光ファイバー）、電気通信（例えば、ＣＰ／ＩＰ、ＵＤＰ、ファイヤーワイヤー、ＵＳＢ２、ＳＣＳＩ、ＳＡＴＡ、５ｅＳＡＴＡ、ＰＣＩ、ＰＣＩ−エクスプレス、ＩＤＥ等のための銅線または同軸ケーブル）、または無線通信（例えば、ＷｉＦｉ、ラジオ周波数、ブルートゥース、モバイル通信等）。ネットワークにわたるデジタルデータ転送は、直列転送または並列転送であり得る。
【００１７】
用語「ネットワーク」は、特定の消費者／商業の実施形態（例えば、イーサネット（登録商標）、ＵＳＢ、またはファイヤーワイヤー）に限定されないが、情報（例えば、画像データ）を伝送するために、通信チャンネルによって相互接続される少なくとも２つの個々の部材（例えば、システムおよびホストコンピュータ）の任意のシステムを含む。画像／データ圧縮減少伝送帯域幅は、損失圧縮または損失のない圧縮を含み得る。一実施形態において、遠隔ＣＰＵは、圧縮された進入データストリームに解凍を行う。
【００１８】
加えて、本明細書に開示された実施形態は、ネットワークにわたって画像データをホストに伝送する前に遠隔システム内で画像圧縮（例えば、ＪＰＥＧまたは他）を最初に行うことによってネットワークの帯域幅制限を解決する。画像圧縮は、実質的な物理距離にわたって画像データを伝送することに必要な帯域幅を減少させる。遠隔のネットワーク接続可能なシステムは、システムフロントエンドコンポーネント（例えば、光源、干渉計、デジタイザ等）を含み、システムフロントエンドコンポーネントは、干渉計（長いサンプルアームファイバー）または供給源／検出経路ファイバー光学系を延長させることに対して、撮像されるサンプルに近接して保たれ得る。フロントエンドシステムは、遠隔に配置され、ホストコンピュータへの情報の転送は、デジタルネットワーク転送を介するものであり、幅広い様々なシステム設置オプションが可能である。
【００１９】
一般的に言えば、カテーテルラボまたは他の患者手順区域内にシステムを統合させる方法は、サンプルに近接して医者／患者インターフェースコンポーネントおよび使い捨て用品を配置することと、実質的な物理距離だけ離れて携帯性のないハードウェアを配置することとを含む。一実施形態において、コンポーネントおよび使い捨て用品は、コントローラ、ＰＩＭ、および撮像カテーテルを含む。一実施形態において、携帯性のないハードウェアは、ＣＰＵコンポーネント、電源、表示モニター、およびアーカイバルシステムを含む。一般的に言えば、ＣＰＵコンポーネントは、電源、表示モニター、アーカイバルシステム等を含み、概して「ＣＰＵコンポーネント」と呼ばれ得、以下にさらに説明される。
【００２０】
システムを統合させる方法は、患者／医者インターフェースコンポーネントをＣＰＵコンポーネントと接続することをさらに含む。一実施形態において、患者／医者インターフェースを接続することは、永久に設置されたケーブル（電気的または光学的）または無線伝送を含む。別の実施形態において、設置されたケーブルは、導管を通るものであり得、導管は、フロアトレンチ、天井導管、無線伝送のための空気等であり得る。
【００２１】
システムを統合させる方法は、患者インターフェースコンポーネントが、使用中ではなく、修復の必要があり、置換、または更新である場合、永久に設置されたコンポーネントから患者インターフェースコンポーネントを切断することをさらに含む。この実施形態は、統合システムのモジュール性、携帯性、保守性を可能にする。
【００２２】
方法は、撮像システムの携帯性と、撮像システムおよびホスト（例えば、サーバ、ディスクトップＰＣ、ラップトップＰＣ、ノートブック、モバイルデバイス等）を迅速に互換する能力とを可能にするために、そのホストコンピュータからシステムを分離することと、実質的な物理距離において（直接ホストバススロット、すなわち、ＰＣＩ／ｅではない）ネットワークケーブルを接続することとをさらに含む。
【００２３】
一実施形態において、画像情報は、実質的に画像またはデータの品質を低減させない方式でサンプルからＣＰＵ（１５）コンポーネントに伝送される。画像品質低減は、ノイズ（例えば、銅線または無線伝送に関わる電気干渉またはビットエラ、損失圧縮）、群遅延分散（例えば、解像度を低減させ、長いファイバーケーブルにおいて管理し難しいファイバー干渉計における影響）、ｚ−オフセット摂動（干渉計ファイバー経路長さにおける機械または熱的変動）、および光学挿入損失（曲がったファイバーまたは破損したファイバー、または汚れ／損傷の光学コネクタによって支障を持たされた光学伝送）を含む。本明細書に開示される統合システムは、ノイズ、群遅延分散、ｚ−オフセット摂動、および光学挿入損失を低減させるために、これらの基本的な統合要件を満たすことが可能である。
【００２４】
統合システムは、統合ＯＣＴシステムが重要である（２５）介入心臓学以外他の医学的下位専門分野（例えば、他の外科手術部位）において使用され得る。医療以外のＯＣＴ応用はまた、製造のための材料の特徴付け、化学識別、光学ファイバー構造等に対してこれらの統合ＯＣＴシステムを使用し得る。他の実施形態は、ＯＣＴ心臓カテーテル法ラボ統合、ＯＣＴシステム構造、光学周波数ドメイン干渉（ＯＦＤＩ）、掃引ソースＯＣＴ（ＳＳ−ＯＣＴ）、および前述の代替的な撮像システム等を含む。
【００２５】
一般的に言えば、掃引ソースフーリェドメイン血管内ＯＣＴ撮像システムは、光源と、光学干渉計とを含む。一実施形態において、光源は、調整可能なレーザー、調整可能なスーパー発光ダイオード（ＴＳＬＥＤ）または光子の他の調整可能な光源を含む。代替的に、任意の他の光学ベースの撮像システムのための光源は、レーザー、スーパー発光ダイオード（ＳＬＤ）、または光子の任意の他の供給源を含み得る。一実施形態において、光学干渉計は、サンプル経路と参照経路とを含む。「経路」は、同じ位置またはファイバーにおいて物理的に共同配置され得（例えば、「共通経路」）、多くの干渉計レイアウト（Ｍｉｃｈｅｌｓｏｎ、Ｍａｃｈ  Ｚｅｈｎｄｅｒ等）から構成され得る。干渉計内の経路は、長い距離にわたって物理的に分配され、ファイバー光学伝送によって支持され得る。光学干渉計は、サンプル経路および参照経路に対して、少なくとも１つのファイバー分割器／結合器または他のビーム分割／結合の要素を含む。
【００２６】
ＯＣＴ干渉計は、サンプルプローブに動作可能に結合され得る。一実施形態において、サンプルプローブは、血管内の撮像のための回転可能なカテーテルを含む。他の実施形態において、サンプルプローブは、内視鏡プローブ、前方撮像プローブ、ガルボスキャナー、または様々な応用のための他の代替的な横方向スキャン機構を含む。サンプルプローブは、必ずしも、サンプル／患者に近接して配置される必要がなく、干渉計の同じ経路と動作可能に関連付けられる。例示的なサンプルプローブは、同一出願人になる米国特許出願第１２／１７２，９２２号において開示され、上記文献が本明細書において参照することによって援用される。
【００２７】
加えて、ＯＣＴ干渉計は、光検出器または光受信器に動作可能に接続される。光検出器は、バランスを保たれる検出および／または偏光の様々な検出を用いる場合、複数の検出器を含み得る（例えば、同じ経路を別個の偏光状態に分割し、少なくとも２つの検出器を用いて、別々の偏光状態を検出する）。ＯＣＴ干渉計は、連続的なアナログＯＣＴ信号をサンプル化されたデジタルＯＣＴ信号に変換するデジタイザに動作可能に結合される。アナログ事前フィルタリングおよび増幅は、光受信器とデジタイザとの間に使用される。
【００２８】
ＯＣＴ干渉計は、システムの処理、表示、アーカイバル、ユーザーインターフェース等の機能を行う、コンピュータまたはＣＰＵコンポーネントと動作可能に結合される。一実施形態において、ＣＰＵコンポーネントは、異なる位置に分配され、デジタル通信リンクと相互接続された複数の一連のコンピューティングハードウェアを含む。ＣＰＵコンポーネントは、標準ＰＣ（ディスクトップ、ラップトップ、サーバ等）、内蔵プロセッサ（デジタル信号プロセッサ（ＤＳＰ）およびプログラマブル論理アレイ（ＰＬＡ）（例えば、フィールドプログラマブルゲートアレイ（ＦＰＧＡ））等）、グラフィックカード（グラフィック処理ユニット（ＧＰＵ））、および他のコンピューティングハードウェア／ソフトウェアを含み得る。統合撮像システムに対して、一次コンピュータ要素は、サンプル／患者から実質的な物理距離だけ離れて、すなわち、制御室またはリモートワークステーション内に配置される。コンピュータは、パーソナルコンピュータ、ポータブルコンピュータ、ネットワークコンピュータ、外科手術システム内の制御システム、メインフレーム、または遠隔に制御されたサーバを含むさまざまなタイプであり得る。
【００２９】
一実施形態において、上述したプロセス、システムおよび方法は、コンピューティングデバイスまたはＣＰＵコンポーネント上で動作するソフトウェア内に、部分的または全体的に組み込まれ得る。コンピューティングデバイスのコンポーネントおよびモジュール内に提供された機能は、１つ以上のコンポーネントおよび／またはモジュールを含み得る。例えば、コンピューティングデバイスは、複数の中央処理ユニット（ＣＰＵ）およびマス格納デバイスを含み得、例えば、サーバのアレイ内に実装され得る。複数のＣＰＵおよびＧＰＵが、分散方式であり得、同一出願人になる米国特許出願第１１／８６８，３３４号においてより詳しく説明され、上記文献が、本明細書において参照することによって援用される。
【００３０】
概して、本明細書に使用される単語「モジュール」は、ハードウェアまたはファームウェア内に組み込まれた論理を指し、または、エントリポイントおよび退出ポイントを有することが可能であり、プログラミング言語（例えば、Ｊａｖａ（登録商標）、ＣまたはＣ＋＋等）で書き込まれたソフトウェア命令の集合を指す。ソフトウェアモジュールは、実行可能なプログラムにコンパイルおよびリンクされ、ダイナミックリンクライブラリ内に設置され得、または、解釈プログラミング言語（例えば、ＢＡＳＩＣ、Ｐｅｒｌ、Ｌｕａ、またはＰｙｔｈｏｎ）で書き込まれ得る。ソフトモジュールは、他のモジュールまたはその自身から呼出可能であり得、および／または検出された事象または中断に応じて起動され得ることが認識される。ソフトウェア命令は、ファームウェア（例えば、ＥＰＲＯＭ）内に組み込まれ得る。ハードウェアモジュールは、接続された論理ユニット（例えば、ゲート、フリップフロップ）から構成され得、および／またはプログラマブルユニット（例えば、プログラマブルゲートアレイまたはプロセッサ）から構成され得ることがさらに認識される。本明細書に説明されるジュールは、好ましくは、ソフトウェアモジュールとして実装されるが、ハードウェアまたはファームウェアで表され得る。概して、本明細書に説明されるモジュールは、他のモジュールと組み合わせられ、またはその物理的組織化または格納に関わらずにサブモジュールに分割され得る論理モジュールを指す。
【００３１】
一実施形態において、ＣＰＵコンポーネントは、大きなデータベースを制御し、そして／またはそれと通信すること、大量トランザクション処理を行うこと、および大きなデータベースから報告を生成することに適するメインフレームコンピュータを含む。ＣＰＵは、従来のマイクロプロセッサを含み得る。ＣＰＵコンポーネントは、メモリ（例えば、情報の一時的格納のためのランダムアクセスメモリ（「ＲＡＭ」）、および／または情報の永久的格納のための読み取り専用メモリ（「ＲＯＭ」））、およびマス格納デバイス（例えば、ハードドライブ、ディスケット、または光学媒体格納デバイス）をさらに含む。典型的に、コンピューティングシステムのモジュールは、標準ベースのバスシステムを用いてコンピュータに接続される。異なる実施形態において、標準ベースのバスシステムは、例えば、周辺コンポーネント相互接続（ＰＣＩ）、マイクロチャンネル、ＳＣＳＩ、工業標準構造（ＩＳＡ）および延長されたＩＳＡ（ＥＩＳＡ）構造であり得る。
【００３２】
例示的なコンピューティングシステムおよびＣＰＵコンポーネントは、１つ以上の共通に利用可能な入力／出力（Ｉ／Ｏ）デバイスおよびインターフェース（例えば、キーボード、マウス、タッチパッド、およびプリンタ）を含む。一実施形態において、Ｉ／Ｏデバイスおよびインターフェースは、ユーザーへのデータの可視表示を可能にする１つ以上のディスプレイデバイス（例えば、モニター）を含む。特に、ディスプレイデバイスは、例えば、ＧＵＩの表示、応用ソフトウェアデータ、およびマルチメディア表示を提供する。Ｉ／Ｏデバイスおよびインターフェースは、様々な外部デバイスへの通信インターフェースも提供する。コンピューティングシステムは、１つ以上のマルチメディアデバイス（例えば、スピーカ、ビデオカード、グラフィックアクセラレータ、およびマイクロフォン）も含み得る。
【００３３】
代替的な実施形態において、ＯＣＴ干渉計は、サンプル経路または参照経路のいずれにおいて可変遅延ライン（ＶＤＬ）を含む。ＶＤＬは、システム使用中、干渉計内の小さい経路長の変動を補償するために使用される。統合ＯＣＴシステムは、回転カテーテルを回転および並進ドライブモータとインターフェース接続するために、血管内ＯＣＴシステム内に使用される患者インターフェースモジュール（ＰＩＭ）も含み得る。代替的に、ＰＩＭは、撮像システムコンポーネントをカテーテル、サンプル、またはサンプルプローブに結合する任意のインターフェースモジュールであり得る。示されたＰＩＭコンポーネントは、単一の物理ボックスまたは（ケーブル、無線接続等で分離された）複数の別個のボックスのいずれからなり得る。例えば、１つのインターフェースモジュールは、ＰＩＭボックス内の光源、検出器、デジタイザ、参照アームと、別個のＰＩＭボックス内のモータおよびカテーテルインターフェースとを有する。代替的に、インターフェースモジュールは、回転カテーテルまたは他の撮像カテーテルの動作のための長手方向引き戻しデバイス（例えば、Ｖｏｌｃａｎｏ（登録商標）Ｒｅｖｏｌｕｔｉｏｎ（登録商標）ＰＩＭ、Ｖｏｌｃａｎｏ（登録商標）Ｒ１００、またはＶｏｌｃａｎｏ（登録商標）Ｔｒａｋ  Ｂａｃｋ  ＩＩカテーテル引き戻しデバイス）であり得る。
【００３４】
代替的な実施形態において、ＯＣＴ干渉計は、サンプルクロック生成器を含む。非線形掃引プロフィールを有する光源は、別個のクロッキング干渉計（例えば、波長計）および光検出器サブシステムを介して光源出力をデジタイザに効率的に同期させるサンプルクロック生成器によって達成され得る。線形（ｋ空間内）掃引を有する光源は、デジタイザの内部（オンボード）サンプルクロック生成器を使用し得る。サンプルクロック生成器方式は、ＳＳ−ＯＣＴにとって重要なコンポーネントである。他のコンポーネントのように、その位置は、大幅な距離にわたって物理的に分配され得、ＯＣＴシステムと共通の要素（干渉計、検出器、デジタイザ等）を共有し得る。例示的なクロック生成器は、同一出願人になる米国特許出願第１２／１７２，９８０号において開示され、上記文献が、本明細書において参照することによって援用される。
【００３５】
別の実施形態において、ＯＣＴ干渉計は、「ファイバーベースの」ＳＳ−ＯＣＴシステムであり得る。ＳＳ−ＯＣＴシステムは、概して、光源と、供給源経路によって光源と連絡している光学干渉計とを含む。ＳＳ−ＯＣＴシステムは、スキャニングプローブと動作可能に関連付けられたサンプル経路を含む。スキャニングプローブは、サンプル経路の光ファイバーを介して干渉計の残りと連絡している。ＳＳ−ＯＣＴシステムは、検出経路を介して光学干渉計と連絡している光検出器を含む。光検出器は、電気ワイヤにわたるアナログ信号伝送を介して、デジタイザと通信し、共通に電子アナログ増幅／フィルタリングステージを含む。デジタイザは、デジタル通信（電気、デジタル光学、または無線、並列または直列データ伝送、コンピュータデータバス）またはアナログを介してＣＰＵと通信している。例示的なＳＳ−ＯＣＴシステムは、米国特許出願第１２／１７２，９８０号において説明され、上記文献が、本明細書において参照することによって援用される。
【００３６】
「非ファイバーベースの」ＳＳ−ＯＣＴシステムにおいて、ファイバーコンポーネントは、バルク光学コンポーネント（ビームスプリッタ、レンズ、ミラー、偏光子等）で置換され得、光ビームは、開口空間を通して伝送される。光検出器／デジタイザ／コンピュータの接続性は、同じのままである。
【００３７】
スペクトルドメイン（分光計ベースの）ＯＣＴシステムにおいて、同じコンポーネントは、少しの変更と共に使用される。光源は、もはや調整可能ではないが、広帯域ショートコヒーレンス長の供給源である。光検出器は、分光計および検出器アレイで置換され、デジタイザは、通常にフレーム取り込器と呼ばれるが、その機能は基本的に同じである。他の基本的なコンポーネントおよび相互接続性の全ては同じである。
【００３８】
他の血管内の撮像システムは、カートまたはモバイルコンソール内に全てのシステム要素（ＰＩＭおよびカテーテルを介してサンプルへと延長するサンプル経路を除いて）を一緒に物理的に含む同じ構造のパラダイムに従う。デジタイザは、通常に、コンピュータ内に含まれ、コンピュータの高速内部データバス（例えば、（５）ＰＣＩ、ＰＣＩｅ）を介して接続される。光検出器は、デジタイザと同じカードに配置され得、いくつかの内蔵処理ユニットであり得る。基本的な要素の多くの特定の構成は、可能であるが、それらの全ては、モバイルカート内に同じ物理的共同位置を維持する。本明細書に開示される統合システムの構成は、一次システム要素が同じカートまたはモバイルコンソール内に物理的に共同配置されないパラダイムを可能にする。
【００３９】
一実施形態において、統合ＯＣＴシステム１００が図１Ｂに示され、図１Ｂは、延長された干渉計サンプル経路である。統合ＯＣＴシステム１００は、制御室またはリモートワークステーション１１０と、患者区域１２０とを含み、それによってリモートワークステーション１１０は、患者区域１２０と動作可能に関連付けられる。制御室１１０は、患者区域１２０から実質的な物理距離である任意の一般区域または位置（例えば、リモートワークステーション）であり得る。制御室１１０は、干渉計１４０と動作可能に関連付けられた光源１３０と、干渉計１４０と動作可能に関連付けられた光検出器１５０と、光検出器１５０と動作可能に関連付けられたデジタイザ１６０と、デジタイザ１６０と動作可能に関連付けられたＣＰＵ１７０とを含む。患者区域１２０は、カテーテル１９０と動作可能に関連付けられたＰＩＭ１８０と、カテーテル１９０と動作可能に関連付けられたサンプルプローブ２００とを含む。（２０）干渉計１４０は、延長されたサンプル経路１４２を含み、延長されたサンプル経路１４２は、サンプルプローブ２００と動作可能に関連付け、制御室ＯＣＴシステムを患者区域およびＰＩＭ１８０と統合させる。一般的に言えば、延長されたサンプル経路１４２は、導管１４４内に提供され、それによって、導管は、光ファイバー、電気結合等であり得る。統合ＯＣＴシステム１００は、ＯＣＴシステムの中央処理／表示／アーカイバルユニットから実質的な物理距離だけ離れてＯＣＴサンプルを配置する。制御室１１０内のＣＰＵ１７０は、カテーテル１９０およびサンプルプローブ２００から得られた画像の撮像および処理のためのものである。
【００４０】
別の実施形態または構造において、統合ＯＣＴシステム１００が図１Ｃに示され、図１Ｃは、延長された供給源経路および検出器システムである。この実施形態の統合ＯＣＴシステム１００は、制御室１１０と、患者区域１２０とを含み、それによって制御室１１０は、実質的な物理距離において患者区域１２０と動作可能に関連付けられる。制御室１１０は、光源１３０と、デジタイザ１６０と動作可能に関連付けられた光検出器１５０と、デジタイザ１６０と動作可能に関連付けられたＣＰＵ１７０とを含む。患者区域１２０は、サンプル経路１４２によってサンプルプローブ２００と動作可能に関連付けられた干渉計１４０を含むＰＩＭ１８０を含み、それによって、カテーテル１９０は、サンプルプローブ２００を含む。光源１３０は、導管１４４を通して、供給源経路１４６によって実質的な物理距離において干渉計１４０と動作可能に関連付けられ、検出経路は、導管１４４を通して、干渉計および光検出器１５０と動作可能に関連付けられる。Ｍｉｃｈｅｌｓｏｎ干渉計が使用される場合、共有供給源経路１４６および検出経路１４８が使用される。Ｍａｃｈ−Ｚｅｈｎｄｅｒ干渉計が使用される場合、経路１４６からの別個の検出経路１４８が使用され得る。制御室１１０内のＣＰＵ１７０は、カテーテル１９０およびサンプルプローブ２００から得られた画像の撮像および処理のためのものである。
【００４１】
別の実施形態において、統合ＯＣＴシステム１００が図２Ａに示され、図２Ａは、延長されたデジタイザ−ＣＰＵシステムである。この実施形態の統合ＯＣＴシステム１００は、制御室１１０と、患者区域１２０とを含み、それによって制御室１１０は、実質的な物理距離において患者区域１２０と動作可能に関連付けられる。制御室１１０は、ＣＰＵ１７０を含み、患者区域１２０は、ＰＩＭ１８０とカテーテル１９０とを含む。ＰＩＭ１８０は、光源１３０、干渉計１４０、光検出器１５０およびデジタイザ１６０を含む。光源１３０は、ＰＩＭ１８０内に干渉計１４０と動作可能に関連付けられるが、干渉計１４０は、サンプル経路１４２によってサンプルプローブ２００と動作可能に関連付けられる。干渉計１４０がＰＩＭ１８０内に含まれる場合、サンプル経路１４２は、実質的な物理距離を横断しないが、カテーテル１９０と幾分ローカルに接続される。干渉計１４０は、ＰＩＭ１８０内の光検出器１５０と動作可能に関連付けられるが、光検出器１５０は、ＰＩＭ１８０内のデジタイザ１６０と動作可能に関連付けられる。デジタイザ１６０は、導管１４４と動作可能に関連付けられるＣＰＵ経路１６２によって、制御室１７０内のＣＰＵ１７０と動作可能に関連付けられる。統合ＯＣＴシステム１００（２５）は、ＯＣＴシステムの中央処理／表示／アーカイバルユニットから実質的な物理距離だけ離れてＯＣＴサンプルを配置する。制御室１１０内のＣＰＵ１７０は、カテーテル１９０およびサンプルプローブ２００から得られた画像の撮像および処理のためのものである。
【００４２】
別の実施形態において、統合ＯＣＴシステム１００が図２Ｂに示され、図２Ｂは、延長されたデジタイザ−ＣＰＵモバイルシステムである。この実施形態の統合ＯＣＴシステム１００は、モバイルコンソール１１２と、患者区域１２０とを含み、それによってモバイルコンソール１１２は、物理距離において患者区域または患者ベッドサイド１２０と動作可能に関連付けられる。モバイルコンソール１１２は、モバイルコンソール１１２がＣＰＵ１７０と共に移動することを可能にするホイールまたは他のモバイル輸送デバイスを含む。モバイルコンソール１１０は、ＣＰＵ１７０とディスプレイ１１４とを含み、患者区域１２０は、ＰＩＭエンジン１８０とカテーテル１９０とを含む。ＰＩＭ１８０は、光源１３０、干渉計１４０、光検出器１５０およびデジタイザ１６０を含む。光源１３０は、ＰＩＭ１８０内に干渉計１４０と動作可能に関連付けられるが、干渉計１４０は、サンプル経路１４２によってサンプルプローブ２００と動作可能に関連付けられる。干渉計１４０がＰＩＭ１８０内に含まれる場合、サンプル経路１４２は、実質的な物理距離を横断しないが、カテーテル１９０と幾分ローカルに接続される。干渉計１４０は、ＰＩＭ１８０内の光検出器１５０と動作可能に関連付けられるが、（１０）光検出器１５０は、ＰＩＭ１８０内のデジタイザ１６０と動作可能に関連付けられる。デジタイザ１６０は、ＰＩＭケーブル１６２によってモバイルコンソール１１２内のＣＰＵ１７０と動作可能に関連付けられる。ＰＩＭケーブル１６２は、任意の接続デバイスであり得、既知の接続デバイス、雌型／雄型コネクタ等を介してモバイルコンソール１１２と切断される。制御室１１０内のＣＰＵ１７０は、カテーテル１９０およびサンプルプローブ２００から得られた画像の撮像および処理のためのものである。
【００４３】
別の実施形態において、統合ＯＣＴシステム１００が図２Ｃに示され、図２Ｃは、延長されたデジタイザ−ＣＰＵラップトップシステムである。この実施形態の統合ＯＣＴシステム１００は、ラップトップ１１６と、患者区域１２０とを含み、それによってラップトップ１１６は、物理距離において患者区域または患者ベッドサイド１２０と動作可能に関連付けられる。ラップトップ１１６は、ＣＰＵ１７０を有する任意のコンピュータ関連のデバイスを含み、ＣＰＵ１７０と共に移動し得るネットブック、タブレット、ＰＤＡ、モバイルフォン、音楽プレイヤー等を含むが、それらに限定されない。ラップトップ１１６は、ＣＰＵ１７０とディスプレイ１１４とを含み、患者区域１２０は、ＰＩＭエンジン１８０とカテーテル１９０とを含む。ＰＩＭ１８０は、光源１３０、干渉計１４０、光検出器１５０およびデジタイザ１６０を含む。光源１３０は、ＰＩＭ１８０内に（２５）干渉計１４０と動作可能に関連付けられるが、干渉計１４０は、サンプル経路１４２によってサンプルプローブ２００と動作可能に関連付けられる。干渉計１４０がＰＩＭ１８０内に含まれる場合、サンプル経路１４２は、実質的な物理距離を横断しないが、カテーテル１９０と幾分ローカルに接続される。干渉計１４０は、ＰＩＭ１８０内の光検出器１５０と動作可能に関連付けられるが、光検出器１５０は、ＰＩＭ１８０内のデジタイザ１６０と動作可能に関連付けられる。デジタイザ１６０は、ＰＩＭケーブル１６２によってラップトップ１１６内のＣＰＵ１７０と動作可能に関連付けられる。ＰＩＭケーブル１６２は、既知の接続デバイス、雌型／雄型コネクタ、ＵＳＢコネクタ、ビデオケーブル、ＨＤＭＩ（登録商標）ケーブル等を介してラップトップ１１６と切断され得る。制御室１１０内のＣＰＵ１７０は、カテーテル１９０およびサンプルプローブ２００から得られた画像の撮像および処理のためのものである。
【００４４】
別の実施形態において、統合ＯＣＴシステム１００が図３Ａに示され、図３Ａは、二重光経路およびＰＩＭケーブルシステムである。この実施形態の統合ＯＣＴシステム１００は、光源１３０およびＣＰＵ１７０を含む制御室１１０と、ＰＩＭ１８０およびカテーテル１９０を含む患者テーブル／ベッド１２０とを含み、ＣＰＵ１７０は、患者テーブル／ベッド１２０と動作可能に関連付けられる。患者テーブル１２０は、制御室１１０から実質的な物理距離において配置される。制御室１１０内の光源１３０は、供給源経路１４６によってＰＩＭ１８０と動作可能に関連付けられる。ＰＩＭ１８０は、干渉計１４０、光検出器１５０およびデジタイザ１６０を含み、それによって干渉計１４０は、供給源経路１４６と動作可能に関連付けられる。干渉計１４０はさらに、サンプル経路１４２によってサンプルプローブ２００と動作可能に関連付けられる。干渉計１４０がＰＩＭ１８０内に含まれる場合、サンプル経路１４２は、実質的な物理距離を横断しないが、カテーテル１９０およびサンプルプローブ２００と幾分ローカルに接続される。干渉計１４０は、ＰＩＭ１８０内の光検出器１５０と動作可能に関連付けられるが、光検出器１５０は、ＰＩＭ１８０内のデジタイザ１６０と動作可能に関連付けられる。デジタイザ１６０は、導管１４４を通してＰＩＭケーブル１６２によって制御室１１０内のＣＰＵ１７０と動作可能に関連付けられる。ＰＩＭケーブル１６２は、既知の接続デバイス、雌型／雄型コネクタ、ＵＳＢコネクタ、ビデオケーブル、ＨＤＭＩ（登録商標）ケーブル等を介して制御室１１０と切断され得る。統合ＯＣＴシステム１００は、ＯＣＴシステムの中央処理／表示／アーカイバルユニットから実質的な物理距離だけ離れてＯＣＴサンプルを配置する。制御室１１０内のＣＰＵは、カテーテル１９０およびサンプルプローブ２００から得られた画像の撮像および処理のためのものである。
【００４５】
別の実施形態において、統合ＯＣＴシステム１００が図３Ｂに示され、図３Ｂは、二重光経路およびＰＩＭケーブルシステムである。この実施形態の統合ＯＣＴシステム１００は、光源１３０、ＣＰＵ１７０およびデジタイザ１６０を含む制御室１１０と、ＰＩＭ１８０およびカテーテル１９０を含む患者テーブル／ベッド１２０とを含み、デジタイザ１６０は、患者テーブル／ベッド１２０と動作可能に関連付けられる。患者区域１２０は、制御室１１０から実質的な物理距離において配置される。制御室１１０内の光源１３０は、供給源経路１４６によってＰＩＭ１８０と動作可能に関連付けられる。ＰＩＭ１８０は、干渉計１４０および光検出器１５０を含み、それによって干渉計１４０は、供給源経路１４６と動作可能に関連付けられる。干渉計１４０はさらに、サンプル経路１４２によってサンプルプローブ２００と動作可能に関連付けられる。干渉計１４０がＰＩＭ１８０内に含まれる場合、サンプル経路１４２は、実質的な物理距離を横断しないが、カテーテル１９０およびサンプルプローブ２００と幾分ローカルに接続される。干渉計１４０は、ＰＩＭ１８０内の光検出器１５０と動作可能に関連付けられるが、光検出器１５０は、導管１４４を通してデジタイザ経路１６４によってデジタイザ１６０と動作可能に関連付けられる。デジタイザ１６０は、制御室１１０内のＣＰＵ１７０と動作可能に関連付けられる。デジタイザ経路１６４は、既知の接続デバイス、雌型／雄型コネクタ、ＵＳＢコネクタ、ビデオケーブル、ＨＤＭＩ（登録商標）ケーブル等を介して制御室１１０と切断され得る。制御室１１０内のＣＰＵ１７０は、カテーテル１９０およびサンプルプローブ２００から得られた画像の撮像および処理のためのものである。
【００４６】
別の実施形態において、統合ＯＣＴシステム１００が図３Ｃに示され、図３Ｃは、ＰＩＭ統合干渉計システムである。この実施形態の統合ＯＣＴシステム１００は、ＣＰＵ１７０およびデジタイザ１６０を含む制御室１１０と、ＰＩＭ１８０およびカテーテル１９０を含む患者区域１２０とを含み、デジタイザ１６０は、患者区域１２０と動作可能に関連付けられる。患者区域１２０は、制御室１１０から実質的な物理距離において配置される。ＰＩＭは、光源１３０、干渉計１４０、および光検出器１５０を含み、それによって干渉計１４０は、ＰＩＭ１８０内の光検出器１５０と動作可能に関連付けられる。干渉計１４０はさらに、サンプル経路１４２によってサンプルプローブ２００と動作可能に関連付けられる。干渉計１４０がＰＩＭ１８０内に含まれる場合、サンプル経路１４２は、実質的な物理距離を横断しないが、カテーテル１９０およびサンプルプローブ２００と幾分ローカルに接続される。干渉計１４０は、ＰＩＭ１８０内の光検出器１５０と動作可能に関連付けられるが、光検出器１５０は、導管１４４を通してデジタイザ経路１６４によってデジタイザ１６０と動作可能に関連付けられる。デジタイザ１６０は、制御室１１０内のＣＰＵ１７０と動作可能に関連付けられる。デジタイザ経路１６４は、既知の接続デバイス、雌型／雄型コネクタ、ＵＳＢコネクタ、ビデオケーブル、ＨＤＭＩ（登録商標）ケーブル等を介して制御室１１０と切断され得る。制御室１１０内のＣＰＵは、カテーテル１９０およびサンプルプローブ２００から得られた画像の撮像および処理のためのものである。
【００４７】
別の実施形態において、統合ＯＣＴシステム１００が図３Ｄに示され、図３Ｄは、（３０）ＰＩＭ統合干渉計システムである。この実施形態の統合ＯＣＴシステム１００は、ＣＰＵ１７０、デジタイザ１６０および光検出器１５０を含む制御室１１０と、ＰＩＭ１８０およびカテーテル１９０を含む患者テーブル／ベッド１２０とを含み、光検出器１５０は、患者テーブル／ベッド１２０と動作可能に関連付けられる。患者区域１２０は、制御室１１０から実質的な物理距離において配置される。ＰＩＭは、光源１３０および干渉計１４０を含み、それによって干渉計１４０は、検出経路１６６によって光検出器１５０と動作可能に関連付けられる。干渉計１４０はさらに、サンプル経路１４２によってサンプルプローブ２００と動作可能に関連付けられる。干渉計１４０がＰＩＭ１８０内に含まれる場合、サンプル経路１４２は、実質的な物理距離を横断しないが、カテーテル１９０およびサンプルプローブ２００と幾分ローカルに接続される。干渉計１４０は、導管１４４を通して検出経路１６６によって光検出器１５０と動作可能に関連付けられる。制御室１１０内の光検出器１５０は、デジタイザ１６０と動作可能に関連付けられ、デジタイザ１６０は、制御室１１０内のＣＰＵ１７０と動作可能に関連付けられる。検出経路１６６は、既知の接続デバイス、雌型／雄型コネクタ、ＵＳＢコネクタ、ビデオケーブル、ＨＤＭＩ（登録商標）ケーブル等を介して制御室１１０と切断され得る。制御室１１０内のＣＰＵは、カテーテル１９０およびサンプルプローブ２００から得られた画像の撮像および処理のためのものである。
【００４８】
別の実施形態において、統合ＯＣＴシステム１００が図４Ａに示され、図４Ａは、分散干渉計システムである。この実施形態の統合ＯＣＴシステム１００は、ＣＰＵ１７０を含む制御室１１０と、少なくとも２つの患者区域１２０ａおよび１２０ｂとを含み、ＣＰＵ１７０は、少なくとも２つの患者区域１２０ａおよび１２０ｂと動作可能に関連付けられる。患者区域１２０ａおよび１２０ｂは、制御室１１０がその患者区域１２０ａおよび１２０ｂから実質的な物理距離だけ離れて配置される場合、ＣＰＵ１７０の能力を複数の患者区域に効率的に分配する。患者区域１２０ａおよび１２０ｂは、ＰＩＭ１８０およびカテーテル１９０を含み、それによって、ＰＩＭ１８０は、光源１３０、干渉計１４０、光検出器１５０およびデジタイザ１６０を含む。干渉計１４０は、サンプル経路１４２によってカテーテル１９０内のサンプルプローブ２００と動作可能に関連付けられる。ＰＩＭ１８０内のデジタイザ１６０は、ＣＰＵ経路１６２によって制御室１１０内のＣＰＵ１７０と動作可能に関連付けられる。ＣＰＵ１７０は、ＣＰＵ経路１６２に対する複数の入力と動作可能であり、それにより、複数のＰＩＭ１８０と患者区域１２０ａおよび１２０ｂとからの複数のＣＰＵ経路１６２を受け入れる。統合ＯＣＴシステム１００は、ＯＣＴシステムの中央処理／表示／アーカイバルユニットから実質的な物理距離だけ離れてＯＣＴサンプルを配置する。制御室１１０内のＣＰＵ１７０は、カテーテル１９０およびサンプルプローブ２００から得られた画像の撮像および処理のためのものである。
【００４９】
別の実施形態において、統合ＯＣＴシステム１００が図４Ｂに示され、図４Ｂは、別の分散干渉計システムである。この実施形態の統合ＯＣＴシステム１００は、ＣＰＵ１７０および少なくとも２つのデジタイザ１６０ａ、１６０ｂを含む制御室１１０と、少なくとも２つの患者区域１２０ａおよび１２０ｂとを含み、少なくとも２つのデジタイザ１６０ａ、１６０ｂは、それぞれ、少なくとも２つの患者区域１２０ａおよび１２０ｂと動作可能に関連付けられる。患者区域１２０ａおよび１２０ｂと、２つのデジタイザ１６０ａおよび１６０ｂとは、制御室１１０がその患者区域１２０ａおよび１２０ｂから実質的な物理距離だけ離れて配置される場合、ＣＰＵ１７０の能力を複数の患者区域に効率的に分配する。患者区域１２０ａおよび１２０ｂは、ＰＩＭ１８０およびカテーテル１９０を含み、それによって、ＰＩＭ１８０は、光源１３０、干渉計１４０、および光検出器１５０を含む。干渉計１４０は、サンプル経路１４２によってカテーテル１９０内のサンプルプローブ２００と動作可能に関連付けられる。光検出器１５０は、デジタイザ経路１６４によって制御室１１０のデジタイザ１６０ａおよび１６０ｂと動作可能に関連付けられる。ＣＰＵ１７０は、デジタイザ１６０ａおよび１６０ｂに対する複数の入力と動作可能であり、それにより、複数のＰＩＭ１８０と患者区域１２０ａおよび１２０ｂとからの複数の光検出器１５０を受け入れる。制御室１１０内のＣＰＵ１７０は、カテーテル１９０およびサンプルプローブ２００から得られた画像の撮像および処理のためのものである。
【００５０】
別の実施形態において、統合ＯＣＴシステム１００が図４Ｃに示され、図４Ｃは、別の分散干渉計システムである。この実施形態の統合ＯＣＴシステム１００は、ＣＰＵ１７０および単一のデジタイザ１６０を含む制御室１１０と、少なくとも２つの患者区域１２０ａおよび１２０ｂとを含み、デジタイザ１６０は、少なくとも２つの患者区域１２０ａおよび１２０ｂと動作可能に関連付けられる。患者区域１２０ａおよび１２０ｂと（２０）デジタイザ１６０とは、制御室１１０がその患者区域１２０ａおよび１２０ｂから実質的な物理距離だけ離れて配置される場合、ＣＰＵ１７０の能力を複数の患者区域に効率的に分配する。患者区域１２０ａおよび１２０ｂは、ＰＩＭ１８０およびカテーテル１９０を含み、それによって、ＰＩＭ１８０は、光源１３０、干渉計１４０、および光検出器１５０を含む。干渉計１４０は、サンプル経路１４２によってカテーテル１９０内のサンプルプローブ２００と動作可能に関連付けられる。光検出器１５０ａおよび１５０ｂは、デジタイザ経路１６４によって制御室１１０内のデジタイザ１６０と動作可能に関連付けられる。デジタイザ１６０は、デジタイザ経路１６４に対する複数の入力と動作可能であり、それにより、複数のＰＩＭ１８０と患者区域１２０ａおよび１２０ｂとからの複数の光検出器１５０を受け入れる。制御室１１０内のＣＰＵ１７０は、カテーテル１９０およびサンプルプローブ（３０）２００から得られた画像の撮像および処理のためのものである。
【００５１】
別の実施形態において、統合ＯＣＴシステム１００が図４Ｄに示され、図４Ｄは、別の分散干渉計システムである。この実施形態の統合ＯＣＴシステム１００は、光源１３０、デジタイザ１６０、およびＣＰＵ１７０を含む制御室１１０と、少なくとも２つの患者区域１２０ａおよび１２０ｂとを含み、それによって光源１３０は、少なくとも２つの患者区域１２０ａおよび１２０ｂと動作可能に関連付けられる。患者区域１２０ａおよび１２０ｂは、制御室１１０がその患者区域１２０ａおよび１２０ｂから実質的な物理距離だけ離れて配置される場合、光源１３０の能力を複数の患者区域に効率的に分配する。患者区域１２０ａおよび１２０ｂは、ＰＩＭ１８０およびカテーテル１９０を含み、それによって、ＰＩＭ１８０は、干渉計１４０および光検出器１５０を含む。光源１３０は、導管１４４ａおよび１４４ｂを通して光経路１４６ａおよび１４６ｂによってＰＩＭ１８０内の干渉計１４０と動作可能に関連付けられる。干渉計１４０は、サンプル経路１４２によってカテーテル１９０内のサンプルプローブ２００と動作可能に関連付けられる。光検出器１５０ａおよび１５０ｂは、デジタイザ経路１６４ａおよび１６４ｂによって制御室１１０内のデジタイザ１６０と動作可能に関連付けられる。デジタイザ１６０は、デジタイザ経路１６４ａおよび１６４ｂに対する複数の入力と動作可能であり、それにより、複数のＰＩＭ１８０と患者区域１２０ａおよび１２０ｂとからの複数の光検出器１５０を受け入れる。デジタイザ１６０は、撮像および処理のために、制御室１１０内のＣＰＵ１７０と動作可能に関連付けられる。
【００５２】
別の実施形態において、統合ＯＣＴシステム１００が図４Ｅに示され、図４Ｅは、分散干渉計システムである。この実施形態の統合ＯＣＴシステム１００は、光源１３０およびＣＰＵ１７０を含む制御室１１０と、少なくとも２つの患者区域１２０ａおよび１２０ｂとを含み、それによって光源１３０は、少なくとも２つの患者区域１２０ａおよび１２０ｂと動作可能に関連付けられる。患者区域１２０ａおよび１２０ｂは、制御室１１０がその患者区域１２０ａおよび１２０ｂから実質的な物理距離だけ離れて配置される場合、光源１３０の能力を複数の患者区域に効率的に分配する。患者区域１２０ａおよび１２０ｂは、ＰＩＭ１８０およびカテーテル１９０を含み、それによって、ＰＩＭ１８０は、干渉計１４０と、光検出器１５０と、デジタイザ１６０ａおよび１６０ｂとを含む。光源１３０は、導管１４４ａおよび１４４ｂを通して光経路１４６ａおよび１４６ｂによってＰＩＭ１８０内の干渉計１４０と動作可能に関連付けられる。干渉計１４０は、サンプル経路１４２によってカテーテル１９０内のサンプルプローブ２００と動作可能に関連付けられる。光検出器１５０ａおよび１５０ｂは、ＰＩＭ１８０内のデジタイザ１６０ａおよび１６０ｂと動作可能に関連付けられる。デジタイザ１６０ａおよび１６０ｂは、ＣＰＵ経路１６２ａおよび１６２ｂによって制御室１１０内のＣＰＵ１７０と動作可能に関連付けられる。ＣＰＵ１７０は、ＣＰＵ経路１６２ａおよび１６２ｂに対する複数の入力を含み、それにより、複数のＰＩＭ１８０と患者区域１２０ａおよび１２０ｂとからの複数のデジタイザ１６０ａおよび１６０ｂを受け入れる。制御室１１０内のＣＰＵ１７０は、カテーテル１９０およびサンプルプローブ２００から得られた画像の撮像および処理のためのものである。
【００５３】
別の実施形態において、統合ＯＣＴシステム１００が図４Ｆに示され、図４Ｆは、別の分散干渉計システムである。この実施形態の統合ＯＣＴシステム１００は、光源１３０、デジタイザ１６０ａおよび１６０ｂ、並びにＣＰＵ１７０を含む制御室１１０と、少なくとも２つの患者区域１２０ａおよび１２０ｂとを含み、それによって光源１３０は、少なくとも２つの患者区域１２０ａおよび１２０ｂと動作可能に関連付けられる。患者区域１２０ａおよび１２０ｂは、制御室１１０がその患者区域１２０ａおよび１２０ｂから実質的な物理距離だけ離れて配置される場合、光源１３０の能力を複数の患者区域に効率的に分配する。患者区域１２０ａおよび１２０ｂは、ＰＩＭ１８０およびカテーテル１９０を含み、それによって、ＰＩＭ１８０は、干渉計１４０、並びに光検出器１５０ａおよび１５０ｂを含む。光源１３０は、導管１４４ａおよび１４４ｂを通して光経路１４６ａおよび１４６ｂによってＰＩＭ１８０内の干渉計１４０と動作可能に関連付けられる。干渉計１４０は、サンプル経路１４２によってカテーテル１９０内のサンプルプローブ２００と動作可能に関連付けられる。光検出器１５０ａおよび１５０ｂは、干渉計１４０と動作可能に関連付けられ、ＰＩＭ１８０と患者区域１２０ａおよび１２０ｂとからのデジタイザ経路１６４ａおよび１６４ｂによって制御室１１０内のデジタイザ１６０ａおよび１６０ｂと動作可能に関連付けられる。デジタイザ１６０ａおよび１６０ｂは、制御室１１０内のＣＰＵ１７０と動作可能に関連付けられることにより、ＣＰＵ１７０は、複数のデジタイザ１６０ａおよび１６０ｂを受け入れることが可能である。制御室１１０内のＣＰＵ１７０は、複数の患者区域からの画像を処理する。
【００５４】
本発明がさまざまな実施形態に関連して説明されたが、本発明は、さらに変更ができることが理解される。本出願は、概して本発明の原理に従い、かつ本発明が関連する当技術分野内の既知および慣例内の本開示からの逸脱を含む、本発明の任意の変更、使用および適用をカバーするように意図される。
【図１Ａ】
2014506806.tif 000003
【図１Ｂ】
2014506806.tif 000004
【図１Ｃ】
2014506806.tif 000005
【図２Ａ】
2014506806.tif 000006
【図２Ｂ】
2014506806.tif 000007
【図２Ｃ】
2014506806.tif 000008
【図３Ａ】
2014506806.tif 000009
【図３Ｂ】
2014506806.tif 000010
【図３Ｃ】
2014506806.tif 000011
【図３Ｄ】
2014506806.tif 000012
【図４Ａ】
2014506806.tif 000013
【図４Ｂ】
2014506806.tif 000014
【図４Ｃ】
2014506806.tif 000015
【図４Ｄ】
2014506806.tif 000016
【図４Ｅ】
2014506806.tif 000017
【図４Ｆ】
2014506806.tif 000018
【国際調査報告】
2014506806.tif 000019